【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
接続された外部フラッシュの発光量制御が可能な撮像装置であって、
前記外部フラッシュの発光量制御に関する情報の入力を受け付ける第１の入力手段と、
前記第１の入力手段により前記発光量制御に関する情報が入力され、かつ、前記外部フラッシュに、前記外部フラッシュが備える第２の入力手段により前記発光量制御に関する情報が入力されている場合、前記第１の入力手段により入力された前記発光量制御に関する情報と、前記外部フラッシュが備える第２の入力手段により入力された前記発光量制御に関する情報のうち、どちらの情報に基づいて前記外部フラッシュの発光量制御を行なうかを選択する選択手段と、
前記選択手段の選択結果を示す情報を報知する報知手段と、を有することを特徴とする撮像装置。
【請求項２】
前記報知手段は、前記選択手段の選択結果に応じて異なる表示を行なうことにより、前記選択結果を示す情報を報知することを特徴とする請求項１記載の撮像装置。
【請求項３】
前記選択手段は、前記第１の入力手段により入力された前記発光量制御に関する情報よりも前記第２の入力手段により入力された前記発光量制御に関する情報を優先して選択することを特徴とする請求項１または２に記載の撮像装置。
【請求項４】
前記選択手段は、前記第２の入力手段により前記発光量制御に関する情報が入力されている場合、前記第１の入力手段への入力を無効にすることを特徴とする請求項３に記載の撮像装置。
【請求項５】
被写体の露出状態を測定する測光手段と、
前記測光手段の結果に基づいて前記外部フラッシュの発光量を演算する演算手段と、をさらに有し、
前記発光量制御に関する情報は、前記演算手段により演算された発光量に対する補正量を示す情報であって、
前記選択手段は、前記第２の入力手段により入力された前記発光量制御に関する情報が示す前記補正量の値が０の場合、前記第１の入力手段により入力された前記発光量制御に関する情報を優先して選択することを特徴とする請求項３に記載の撮像装置。
【請求項６】
前記発光量制御に関する情報は、前記外部フラッシュの発光量を示す情報であることを特徴とする請求項３に記載の撮像装置。
【請求項７】
前記選択手段は、前記第２の入力手段により入力された前記発光量制御に関する情報よりも前記第１の入力手段により入力された前記発光量制御に関する情報を優先して選択することを特徴とする請求項１または２に記載の撮像装置。
【請求項８】
前記報知手段は、前記第２の入力手段により前記発光量制御に関する情報が入力されていることを示す情報を報知することを特徴とする請求項１ないし７のいずれか１項に記載の撮像装置。
【請求項９】
接続された撮像装置により発光量制御が可能な外部フラッシュであって、
発光手段と、
前記発光手段の発光量制御に関する情報の入力を受け付ける第１の入力手段と、
前記第１の入力手段により入力された前記発光量制御に関する情報と、前記撮像装置が備える第２の入力手段により入力された前記発光量制御に関する情報のうち、どちらの情報に基づいて前記発光手段が発光を行なうかを示す情報を報知する報知手段と、を有することを特徴とする外部フラッシュ。
【請求項１０】
撮像装置と該撮像装置に接続された外部フラッシュとを含むカメラシステムであって、
発光手段と、
前記撮像装置が備える、前記発光手段の発光量制御に関する情報の入力を受け付ける第１の入力手段と、
前記外部フラッシュが備える、前記発光量制御に関する情報の入力を受け付ける第２の入力手段と、
前記第１の入力手段により前記発光量制御に関する情報が入力され、かつ、前記外部フラッシュに、前記外部フラッシュが備える第２の入力手段により前記発光量制御に関する情報が入力されている場合、前記第１の入力手段により入力された前記発光量制御に関する情報と、前記第２の入力手段により入力された前記発光量制御に関する情報のうち、どちらの情報に基づいて前記発光手段の発光量制御を行なうかを選択する選択手段と、
前記選択手段の選択結果を示す情報を報知する報知手段と、を有することを特徴とするカメラシステム。
【手続補正２】
【補正対象書類名】明細書
【補正対象項目名】発明の名称
【補正方法】変更
【補正の内容】
【発明の名称】撮像装置、外部フラッシュ及びカメラシステム
【手続補正３】
【補正対象書類名】明細書
【補正対象項目名】０００１
【補正方法】変更
【補正の内容】
【０００１】
本発明は撮像装置に関し、特には外部フラッシュの発光量制御が可能な撮像装置に関する。
また、本発明は、撮像装置から発光量制御が可能な外部フラッシュ及び、撮像装置と外部フラッシュとを含むカメラシステムに関する。
【手続補正４】
【補正対象書類名】明細書
【補正対象項目名】０００８
【補正方法】変更
【補正の内容】
【０００８】
本発明は、このような従来技術の問題点を解決し、撮影時に適用される調光量設定に関する情報をユーザにわかりやすく報知可能な撮像装置、外部フラッシュ及びカメラシステムを提供することを目的とする。
【手続補正５】
【補正対象書類名】明細書
【補正対象項目名】０００９
【補正方法】変更
【補正の内容】
【０００９】
上記目的を達成するために、本発明に係る撮像装置は、接続された外部フラッシュの発光量制御が可能な撮像装置であって、外部フラッシュの発光量制御に関する情報の入力を受け付ける第１の入力手段と、第１の入力手段により発光量制御に関する情報が入力され、かつ、外部フラッシュに、外部フラッシュが備える第２の入力手段により発光量制御に関する情報が入力されている場合、第１の入力手段により入力された発光量制御に関する情報と、外部フラッシュが備える第２の入力手段により入力された発光量制御に関する情報のうち、どちらの情報に基づいて外部フラッシュの発光量制御を行なうかを選択する選択手段と、選択手段の選択結果を示す情報を報知する報知手段と、を有することを特徴とする。
また、本発明に係る外部フラッシュは、接続された撮像装置により発光量制御が可能な外部フラッシュであって、発光手段と、発光手段の発光量制御に関する情報の入力を受け付ける第１の入力手段と、第１の入力手段により入力された発光量制御に関する情報と、撮像装置が備える第２の入力手段により入力された発光量制御に関する情報のうち、どちらの情報に基づいて発光手段が発光を行なうかを示す情報を報知する報知手段と、を有することを特徴とする。
また、本発明に係るカメラシステムは、撮像装置と撮像装置に接続された外部フラッシュとを含むカメラシステムであって、発光手段と、撮像装置が備える、発光手段の発光量制御に関する情報の入力を受け付ける第１の入力手段と、外部フラッシュが備える、発光量制御に関する情報の入力を受け付ける第２の入力手段と、第１の入力手段により発光量制御に関する情報が入力され、かつ、外部フラッシュに、外部フラッシュが備える第２の入力手段により発光量制御に関する情報が入力されている場合、第１の入力手段により入力された発光量制御に関する情報と、第２の入力手段により入力された発光量制御に関する情報のうち、どちらの情報に基づいて発光手段の発光量制御を行なうかを選択する選択手段と、選択手段の選択結果を示す情報を報知する報知手段と、を有することを特徴とする。
【手続補正６】
【補正対象書類名】明細書
【補正対象項目名】００１０
【補正方法】変更
【補正の内容】
【００１０】
このような構成により、撮影時に適用される調光量の設定に関する情報をユーザにわかりやすく報知することが可能となる。
【手続補正７】
【補正対象書類名】明細書
【補正対象項目名】００１４
【補正方法】変更
【補正の内容】
【００１４】
また、画像処理回路２０においては、必要に応じて、撮像した画像データを用いて所定の演算処理を行う。そして、得られた演算結果に基づいて、システム制御回路５０がシャッター制御回路４０、測距回路４２を制御し、ＴＴＬ（スルー・ザ・レンズ）方式のＡＦ（オートフォーカス）、ＡＥ（自動露出）、ＥＦ（フラッシュ調光）処理を実現する。
【手続補正８】
【補正対象書類名】明細書
【補正対象項目名】００３２
【補正方法】変更
【補正の内容】
【００３２】
モードダイアル６０、第１シャッタースイッチ（ＳＷ１）６２、第２シャッタースイッチ（ＳＷ２）６４、再生スイッチ６６、異物除去スイッチ６８及び操作部７０は、システム制御回路５０に各種の動作指示を入力するための操作部材である。これらの操作部材は、ボタン、スイッチ、ダイアル、タッチパネル、視線検知装置、音声認識装置或いはこれらの組み合わせで構成される。